(57)【要約】【課題】ＬＥＤ表示装置の電源をオフの状態にしている長時間が経過した後のＬＥＤ表示装置の電源起動時に、ＬＥＤ素子の破損を起こりにくくする。【解決手段】本発明の一態様は、映像信号を、輝度設定シーケンスに基づいた輝度で表示する表示装置と、前記表示装置が電源オフの状態にある期間において算出した湿度量に応じて、前記表示装置が電源オンの状態に移行した後における輝度が時系列に変化する前記輝度設定シーケンスを算出する輝度算出装置と、を備えることを特徴とする表示システムである。【選択図】図１２
2020020971.tif 000002
【特許請求の範囲】
【請求項１】
映像信号を、輝度設定シーケンスに基づいた輝度で表示する表示装置と、
前記表示装置が電源オフの状態にある期間において算出した湿度量に応じて、前記表示装置が電源オンの状態に移行した後における輝度が時系列に変化する前記輝度設定シーケンスを算出する輝度算出装置と、
を備えることを特徴とする表示システム。
【請求項２】
前記輝度算出装置は、
前記表示装置の周辺の湿度を測定し、測定した前記湿度と当該湿度が測定された時間との積の総和からなる前記湿度量を算出する
ことを特徴とする請求項１に記載の表示システム。
【請求項３】
前記輝度算出装置は、前記表示装置が電源オンの状態に移行した後から、前記輝度が所定の期待値に向かって徐々に増加する前記輝度設定シーケンスを算出する
ことを特徴とする請求項１に記載の表示システム。
【請求項４】
前記輝度算出装置は、
算出した前記湿度量が所定の閾値より大きい場合、前記表示装置が電源オンの状態になってから、所定の時間より長い時間をかけて前記輝度が前記所定の期待値に向かって徐々に増加する輝度設定シーケンスを算出し、
算出した前記湿度量が前記所定の閾値以下の場合、前記表示装置が電源オンの状態になってから、前記所定の時間以下の時間をかけて前記輝度が前記所定の期待値に向かって徐々に増加する輝度設定シーケンスを算出する
ことを特徴とする請求項３に記載の表示システム。
【請求項５】
前記輝度算出装置は、前記表示装置の背面に複数搭載され、
前記輝度設定シーケンスは、前記複数の輝度算出装置が算出した湿度量のうち最大の湿度量に応じて算出される
ことを特徴とする請求項１から請求項４いずれか１項に記載の表示システム。
【請求項６】
映像信号を、輝度設定シーケンスに基づいた輝度で表示する表示装置と、
前記輝度設定シーケンスを算出する輝度算出装置と、
を備える表示システムの制御方法であって、
前記輝度算出装置は、前記表示装置が電源オフの状態にある期間において算出した湿度量に応じて、前記表示装置が電源オンの状態に移行した後における輝度が時系列に変化する前記輝度設定シーケンスを算出する
ことを特徴とする表示システム制御方法。
【発明の詳細な説明】
【技術分野】
【０００１】
本発明は、表示システムおよび表示システム制御方法に関する。
【背景技術】
【０００２】
ＬＥＤ素子（Ｌｉｇｈｔ  Ｅｍｉｔｔｉｎｇ  Ｄｉｏｄｅ；発光素子）を備えたＬＥＤ表示装置では、以下に図４および図５を用いて説明するように、ＬＥＤ素子が破損する場合がある。
図４は、ＬＥＤ素子の構造を説明するための図である。図４（ａ）は、ＬＥＤ素子を横から見た図を示しており、図４（ｂ）は、ＬＥＤ素子を正面からみた図を示している。また、図５は、ＬＥＤ素子が吸湿により破損した状態の一例を説明するための図である。図５（ａ）は、封止材が吸湿した状態を示しており、図５（ｂ）は、接合面の剥離が発生した状態を示している。
【０００３】
図４（ｂ）に示すように、ＬＥＤ素子５は、赤色のＬＥＤ素子５Ｒ、緑色のＬＥＤ素子５Ｇおよび青色のＬＥＤ素子５Ｂを、ランプハウス５１内に組み込まれて形成されている。また、図４（ａ）に示すように、ランプハウス５１は、ピン＆はんだ５２を介してパターン５３に接続され、パターン５３はＬＥＤ基板５４に配置されている。また、ランプハウス５１内に設けられたＡＧフレーム５５はボンディングワイヤ５６を介して青色のＬＥＤ素子５Ｂの一端および他端に接続されている。ここで、ＬＥＤ素子５の表面には、図４（ａ）に示すように、封止材５７が取り付けられている。封止材５７は、ＬＥＤ素子５や電極（上記一端および他端）などＬＥＤ素子５内部を、外部からの衝撃やほこり等の外的な劣化要因から保護している。封止材５７の材質は、エポキシやシリコンの樹脂である。
【０００４】
図５は、ＬＥＤ素子５が破損した状態を示している。図５（ａ）に示すように、封止材５７の材質であるエポキシやシリコンの樹脂は、湿度（水分５８）を吸収する。図５（ｂ）に示すように、長期にわたりＬＥＤ素子５を使用しない場合、電源を起動し急激に熱が加わり、温度上昇が発生した場合、封止材５７の材質であるエポキシが膨張（気化膨張）し、ＬＥＤ素子５Ｂとボンディングワイヤ５６との接合面が剥離し、ＬＥＤ素子５が破損することがある。
【０００５】
ここで、従来技術においては、ＬＥＤ素子の吸湿を防止できる技術がある。例えば、特許文献１には、発光ダイオードの構成に関するものであり、プリント回路基板に取付孔を設けることなく表面への実装を可能とした表面実装型発光ダイオードの構成に係るものが記載されている。また、特許文献２には、水分の浸入を抑制しつつ、膜剥れの発生を低減することが可能な、発光ダイオードを備えた表示装置が記載されている。
【先行技術文献】
【特許文献】
【０００６】
【特許文献１】特開２０１７−９７２５号公報
【特許文献２】特開平８−３２１６３４号公報
【発明の概要】
【発明が解決しようとする課題】
【０００７】
しかしながら、これら特許文献１、２に記載の発明では、湿度の吸収をある程度防止することができるものの、長期にわたりＬＥＤ素子を使用しない場合、電源を起動し急激に熱が加わるとエポキシが膨張し、ＬＥＤ素子とボンディングワイヤが剥離し、ＬＥＤ素子が破損するという問題を解決できる発明ではない。
【０００８】
ここで、ＬＥＤ素子の破損を防止するため、ＬＥＤ素子を長期にわたり使用しない場合、次の電源起動時、徐々に熱を加える（徐々にＬＥＤ素子を明るくする）処置を行うことにより、気化膨張を防ぎ、破損をおさえることが出来る。そのため、本発明は、ＬＥＤ素子を長期にわたり使用しない場合において封止材がどの程度湿度を吸収したかを監視しつつ、次の電源起動時、徐々にＬＥＤ素子を明るくすることを目的とする。
すなわち、本発明は、ＬＥＤ表示装置の電源をオフの状態にしている長時間が経過した後のＬＥＤ表示装置の電源起動時に、ＬＥＤ素子の破損を起こりにくくすることを目的とする。
【課題を解決するための手段】
【０００９】
上記課題を解決するため、本発明の一態様は、映像信号を、輝度設定シーケンスに基づいた輝度で表示する表示装置と、前記表示装置が電源オフの状態にある期間において算出した湿度量に応じて、前記表示装置が電源オンの状態に移行した後における輝度が時系列に変化する前記輝度設定シーケンスを算出する輝度算出装置と、を備えることを特徴とする表示システムである。
【００１０】
また、本発明の一態様は、映像信号を、輝度設定シーケンスに基づいた輝度で表示する表示装置と、前記輝度設定シーケンスを算出する輝度算出装置と、を備える表示システムの制御方法であって、前記輝度算出装置は、前記表示装置が電源オフの状態にある期間において算出した湿度量に応じて、前記表示装置が電源オンの状態に移行した後における輝度が時系列に変化する前記輝度設定シーケンスを算出することを特徴とする表示システム制御方法である。
【発明の効果】
【００１１】
本発明の各態様によれば、ＬＥＤ表示装置の電源をオフの状態にしている長時間が経過した後のＬＥＤ表示装置の電源起動時に、ＬＥＤ素子の破損を起こりにくくすることができる。
【図面の簡単な説明】
【００１２】
【図１】本実施形態におけるＬＥＤ表示装置を説明するための模式図である。
【図２】本実施形態におけるＬＥＤモジュールを説明するための模式図である。
【図３】本実施形態における表示システムを説明するための模式図である。
【図４】ＬＥＤ素子の構造を説明するための図である。
【図５】ＬＥＤ素子が吸湿により破損した状態の一例を説明するための図である。
【図６】本実施形態における表示システムを説明するための模式図である。
【図７】湿度記憶装置１の構成を示すブロック図である。
【図８】本実施形態における表示システムの電源ＯＦＦ／ＯＮ時のフローチャートを示す図である。
【図９】湿度値と時間との関係を示す図である。
【図１０】輝度設定シーケンス算出部１５が算出する輝度設定起動シーケンスの一例を示す図である。
【図１１】本実施形態における他の表示システムを説明するための模式図である。
【図１２】本発明の一実施形態に係る表示システムの基本的構成例を示すブロック図である。
【発明を実施するための形態】
【００１３】
以下、図面を参照して本発明の実施形態について説明する。図１は、本実施形態におけるＬＥＤ表示装置を説明するための模式図である。図１は、ＬＥＤ表示装置３とＬＥＤモジュール４を正面から見た図を示している。図１に示すように、ＬＥＤ表示装置３は複数のＬＥＤモジュール４からなり、ＬＥＤモジュール４を上下左右方向に複数ｎ（ｎ＞１である自然数、ここでｎ＝４５）個並べて映像を表示している。また、ＬＥＤモジュール４は、複数のＬＥＤ素子５が実装される表示部４１を有している。
【００１４】
図２は、本実施形態におけるＬＥＤモジュールを説明するための模式図である。図２（ａ）はＬＥＤモジュール４を横から見た図であり、図２（ｂ）はＬＥＤモジュール４を背面から見た際の信号配線について示す図である。
図２（ａ）に示すように、ＬＥＤモジュール４は、複数のＬＥＤ素子５が実装された表示部４１と、ＬＥＤドライバＩＣ４３、ＬＥＤコントロールＢＯＸ４４をもつ信号処理部４２とを、前者をＬＥＤ基板５４の正面に、後者をＬＥＤ基板５４の背面に、配置して構成されている。ここで、図２（ａ）に示すように、ＬＥＤ素子５の１つが１画素を構成しており、ＬＥＤモジュール４の表示部４１に複数のＬＥＤ素子５が実装されている。
【００１５】
また、図２（ａ）および図２（ｂ）に示すように、コントロールＢＯＸ４４には、電源および、複数のＬＥＤモジュール用の映像信号、ＬＥＤ制御信号が入力され、隣接したＬＥＤモジュール４に出力されている。
ＬＥＤドライバＩＣ４３は、コントロールＢＯＸ４４に入力された信号に基づいて、各ＬＥＤモジュール４毎に表示する映像を切り出して、ＬＥＤモジュール４毎に表示させている。また、各ＬＥＤモジュール４の輝度設定は、ＬＥＤ制御信号より行っている。
すなわち、ＬＥＤモジュール４各々は、映像信号を分割して分割された映像信号を、ＬＥＤ制御信号（輝度制御信号）が示す輝度で表示している。
【００１６】
図３は、本実施形態における表示システムを説明するための模式図である。図３は、ＬＥＤ表示装置３およびＬＥＤコントローラ２からなる表示システム１００ａの構成例を示している。
図３に示すように、ＬＥＤコントローラ２は、入力される映像信号を、ＬＥＤモジュール４用の信号に変換し、変換後の映像信号とＬＥＤ制御信号をＬＥＤモジュール４に伝送している。
【００１７】
すなわち、図３に示すように、ＬＥＤコントローラ２は、入力される映像信号を、ＬＥＤ制御信号（輝度制御信号）を含む映像信号に変換し、ｎ（ｎ＝１２）個直列に接続された複数のＬＥＤモジュール４（ＬＥＤ表示装置３）のうちの第１番目のＬＥＤモジュール４（第１のＬＥＤモジュール）に出力している。また、ＬＥＤ表示装置３は、第１番目のＬＥＤモジュール４から第１２番目（第ｎの）ＬＥＤモジュール４に対してＬＥＤ制御信号を含む映像信号を伝送している。
なお、ＬＥＤ制御信号は、後述する湿度記憶装置１（ＬＥＤ輝度算出装置）が算出する輝度設定シーケンスに基づいて、ＬＥＤコントローラ２が生成する信号である。ただし、ＬＥＤ制御信号を生成するのはＬＥＤコントローラ２でなくてもよく、例えば、ＬＥＤモジュール４の信号処理部４３におけるＬＥＤドライバＩＣ４３、またはコントロールＢＯＸ４４であってもよいし、ＬＥＤ表示装置３が持つ不図示のＬＥＤ制御信号生成部であってもよい。ＬＥＤモジュール４各々は、映像信号を分割して分割された映像信号を、ＬＥＤ制御信号（輝度制御信号）が示す輝度で表示する。
【００１８】
次に本発明の特徴について説明する。本発明は、ＬＥＤ表示装置３に対して、湿度センサを持ち、電源をＯＦＦ（オフの状態に）している期間の湿度変化を記憶し、電源をＯＦＦしている間の湿度量を算出し、長時間放置後の電源起動時に、通常通りＬＥＤ素子５を起動してしまうと発生する可能性のあるＬＥＤ素子５の破損を起こりにくくする、電源起動時のＬＥＤ素子輝度設定シーケンスを提供する湿度記憶装置（ＬＥＤ輝度算出装置）を有することに特徴がある。
【００１９】
なお、本実施形態において、ＬＥＤ素子５は、表面実装型（ＳＭＤ：Ｓｕｒｆａｃｅ  Ｍｏｕｎｔ  Ｄｅｖｉｃｅ）のＬＥＤの他、砲弾型のＬＥＤ、マイクロＬＥＤでもかまわず、ＬＥＤ素子の種類には限定されない。また、ＬＥＤ駆動方法として、ＰＷＭ方式やＬＥＤに流れる電流を変化させる方式などがあり、ＬＥＤの駆動方法には限定されない。
【００２０】
図６は、本実施形態における表示システムを説明するための模式図である。図６は、ＬＥＤ表示装置３および湿度記憶装置１（ＬＥＤ輝度算出装置）からなる表示システム１００ｂの構成例を示している。また、図７は、湿度記憶装置１の構成を示すブロック図である。
図６に示すように、ＬＥＤ表示装置３近傍に、湿度センサ、カウントアップタイマにより湿度量を検出し、最適な輝度設定シーケンスを算出する湿度記憶装置１をもつ。ＬＥＤ表示装置３の設置位置については、特に指定はない。
【００２１】
図７に示すように、湿度記憶装置１は、湿度センサ１１、カウントアップタイマ１２、湿度−時間保存部１３、湿度量算出部１４、輝度設定シーケンス算出部１５を含んで構成される。
湿度センサ１１は、ＬＥＤ表示装置の周辺の湿度を測定し、測定した湿度を湿度−時間保存部１３に出力する。
カウントアップタイマ１２は、ＬＥＤ表示装置３が電源オフの状態になった直後に、湿度センサ１１の測定時間を計測するタイマである。カウントアップタイマ１２は、計測開始を示す信号であるｒｅｓｅｔ信号が、例えば、ＬＥＤコントローラ２或いはＬＥＤ表示装置３より入力されると、計測時間（電源ＯＦＦ時間）を０［Ｈ］にリセットし、湿度センサ１１の測定時間の計測を開始する。
【００２２】
ここで、図９は、湿度値と時間との関係を示す図である。
湿度−時間保存部１３は、カウントアップタイマ１２が湿度センサ１１の測定時間の計測を行っている期間（ＬＥＤ表示装置３が電源オフの状態にある期間）において、湿度センサ１１が出力する湿度を読み込み、湿度値と、カウントアップタイマ１２が計測した時間とを、図９に示す形式で保存（記憶）する。図９に示す形式とは、湿度値［％］と湿度センサ１１が当該湿度値［％］を示した電源ＯＦＦ時間［Ｈ］との関係が判る形式である。
なお、カウントアップタイマ１２、湿度−時間保存部１３は、以上の処理を次の表示装置３が電源オンの状態に移行するまでの期間において行う。もちろん、湿度センサ１１は、カウントアップタイマ１２、湿度−時間保存部１３と同様の期間、湿度を測定していればよく、表示装置３が電源オンの状態にある期間は、測定を行わなくてもよい。
【００２３】
湿度量算出部１４は、ＬＥＤ表示装置３が電源オフの状態にある期間の湿度量を算出する。例えば、湿度量の算出については、湿度１０％の電源ＯＦＦ時間がＸ時間、湿度５０％の電源ＯＦＦ時間がＹ時間、湿度９０％の電源ＯＦＦ時間がＺ時間とすると、湿度量は、０．１×Ｘ＋０．５×Ｙ＋０．９×Ｚとなる。
すなわち、湿度量は、測定した湿度と当該湿度が測定された時間との積の総和と定義できる。
【００２４】
輝度設定シーケンス算出部１５は、湿度量に対するＬＥＤ素子５の起動後からの輝度設定シーケンスを算出する。図１０は、輝度設定シーケンス算出部１５が算出する輝度設定起動シーケンスの一例を示す図である。
図１０は、横軸が電源起動後の時間［ｈ］を示し、縦軸がＬＥＤデイスプレイ（ＬＥＤモジュール４の表示部４１の明るさ（輝度）設定値［％］を示している。
図１０に示すように、輝度設定起動シーケンスは、ＬＥＤ表示装置３が電源オンの状態に移行した後から、輝度が０％から１００％（所定の期待値；通常動作における輝度値）に向かって徐々に増加している。
【００２５】
すなわち、従来の通常動作においては、ＬＥＤ表示装置３の電源を起動後、例えば、数分〜数十分の間に輝度が１００％（所定の期待値）に到達するような、急激にＬＥＤ素子５に熱が加わる輝度設定を行っていた。しかしながら、このような輝度設定を行うと、ＬＥＤ素子を構成する封止材５７の材質であるエポキシやシリコンの樹脂が気化膨張し、ＬＥＤ素子５とボンディングワイヤ５６とが剥離し、ＬＥＤ素子５が破損してしまうという問題があった。
【００２６】
そこで、本実施形態の輝度設定起動シーケンスでは、ＬＥＤ表示装置３が電源オンの状態に移行した後から、輝度が０％から１００％に向かって徐々に増加する構成を持っている。このように、湿度記憶装置１は、算出された湿度量に対して最適な起動シーケンスを提供する。
【００２７】
なお、輝度設定シーケンスは、算出した湿度量が所定の閾値より大きい場合、ＬＥＤ表示装置３（表示装置）が電源オンの状態になってから、所定の時間より長い時間をかけて輝度が所定の期待値に向かって徐々に増加し、算出した湿度量が所定の閾値以下の場合、ＬＥＤ表示装置３が電源オンの状態になってから、所定の時間以下の時間をかけて輝度が所定の期待値に向かって徐々に増加する構成を持っていてもよい。
ここで、所定の閾値、所定の時間とは、湿度記憶装置１が算出した湿度量と算出した輝度設定シーケンスとを、設計時において複数回変更して、変更された湿度量と輝度設定シーケンスとを、複数個のＬＥＤ表示装置３に対して実験を行うことにより求めた値であってもよい。
【００２８】
次に、本実施形態の表示システムにおける電源ＯＦＦ／ＯＮ時における動作について説明する。図８は、本実施形態における表示システムの電源ＯＦＦ／ＯＮ時のフローチャートを示す図である。図８（ａ）は、ＬＥＤ表示装置３が電源オフの状態になったときの処理、図８（ｂ）は、ＬＥＤ表示装置３が電源オンの状態になったときの処理をそれぞれ示している。
【００２９】
まず、ＬＥＤ表示装置３が電源オフの状態になったときの処理を、図８（ａ）を参照して説明する。
ＬＥＤ表示装置の電源がＯＦＦする（ステップＳＴ１）。
すなわち、ＬＥＤ表示装置３が電源オフの状態へ移行する。
続いて、カウントアップタイマをＲｅｓｅｔする（ステップＳＴ２）。
具体的には、カウントアップタイマ１２は、計測開始を示す信号であるｒｅｓｅｔ信号が、ＬＥＤコントローラ２或いはＬＥＤ表示装置３より入力されると、計測時間（電源ＯＦＦ時間）を０［Ｈ］にリセットし、湿度センサ１１の測定時間の計測を開始する。
湿度センサは、湿度を測定する（ステップＳＴ３）。
具体的には、湿度センサ１１は、ＬＥＤ表示装置の周辺の湿度を測定し、測定した湿度を湿度−時間保存部１３に出力する。
湿度−時間保存部は、湿度−時間を記憶する（ステップＳＴ４）。
具体的には、湿度−時間保存部１３は、カウントアップタイマ１２が湿度センサ１１の測定時間の計測を行っている期間において、湿度センサ１１が出力する湿度を読み込み、湿度値と、カウントアップタイマ１２が計測した時間とを、図９に示す形式で保存する。図９に示す形式とは、湿度値［％］と湿度センサ１１が当該湿度値［％］を示した電源ＯＦＦ時間［Ｈ］との関係が判る形式である。
なお、カウントアップタイマ１２、湿度−時間保存部１３は、以上の処理を次のＬＥＤ表示装置３が電源オンの状態に移行するまでの期間において行うため、ＬＥＤ表示装置３が電源オフの状態である場合、ステップＳＴ５に進む。
カウントアップタイマはカウントアップする（ステップＳＴ５）。
カウントアップタイマ１２は、計測中の電源ＯＦＦ時間を増加させる。
カウントアップタイマ１２、湿度−時間保存部１３は、以上のＳＴ３〜ＳＴ５の処理を次のＬＥＤ表示装置３が電源オンの状態に移行するまでの期間において行うため、ＬＥＤ表示装置３が電源オンの状態に移行すると、ステップＳＴ６に進む。
湿度量算出部は、湿度量を算出する（ステップＳＴ６）。
具体的には、湿度量算出部１４は、ＬＥＤ表示装置３が電源オフの状態にある期間の湿度量を算出する。
輝度設定シーケンス算出部は、ＬＥＤ素子５の輝度設定シーケンスを算出する（ステップＳＴ７）。
具体的には、輝度設定シーケンス算出部１５は、湿度量に対するＬＥＤ素子５の起動後からの輝度設定シーケンスを算出する。
【００３０】
続いて、ＬＥＤ表示装置３が電源オンの状態になったときの処理を、図８（ｂ）を参照して説明する。
ＬＥＤ表示装置の電源がＯＮする（ステップＳＴ１１）。
すなわち、ＬＥＤ表示装置３が電源オンの状態へ移行する。
ＬＥＤ素子５の輝度設定シーケンスの読み出しを行う（ステップＳＴ１２）。
具体的には、ＬＥＤコントローラ２は、輝度設定シーケンス算出部１５が算出した輝度設定シーケンスを輝度設定シーケンス算出部１５から受け取る。
ＬＥＤ素子が点灯する（ステップＳＴ１３）。
具体的には、ＬＥＤコントローラ２は、入力される映像信号を、輝度設定シーケンスに基づくＬＥＤ制御信号（輝度制御信号）を含む映像信号に変換し、ｎ個直列に接続された複数のＬＥＤモジュール４（ＬＥＤ表示装置３）のうちの第１番目のＬＥＤモジュール４に出力する。また、ＬＥＤ表示装置３は、第１番目のＬＥＤモジュール４から第ｎのＬＥＤモジュール４に対してＬＥＤ制御信号を含む映像信号を伝送している。また、ＬＥＤモジュール４各々は、映像信号を分割して分割された映像信号を、輝度設定シーケンスに基づいたＬＥＤ制御信号（輝度制御信号）が示す輝度で表示している。すなわち、ＬＥＤモジュール４各々は、輝度設定シーケンスで起動されている。
通常動作に移行する（ステップＳＴ１４）。
すなわち、輝度設定シーケンスにおける輝度が１００％の輝度値に到達した場合、輝度設定シーケンスは終了し、ＬＥＤ表示装置３は、通常動作に移行する。なお、このとき、ＬＥＤ表示装置３が電源オンの状態に移行したものとして、湿度記憶装置１は、湿度量をリセットし、次のＬＥＤ表示装置３が電源オフの状態になるときに対して待機する。
【００３１】
図１１は、本実施形態における他の表示システムを説明するための模式図である。図１１は、ＬＥＤ表示装置３および複数の湿度記憶装置１（ＬＥＤ輝度算出装置）からなる表示システム１００ｃの構成例を示している。
図１１に示す構成図のように、本実施形態における表示システムは、湿度記憶装置１を、ＬＥＤモジュール４毎に、ＬＥＤモジュール４の背面に搭載した、ＬＥＤ表示装置３である。
本実施形態における表示システムでは、各ＬＥＤモジュール４より算出した湿度量により、最適起動シーケンスを求める。この場合、各ＬＥＤモジュール４から算出された湿度量のうち最大のものを抽出し、起動シーケンスを算出し、全ＬＥＤモジュール４に適用する。
【００３２】
以上説明したように、本発明の実施により、長時間放置後の電源起動時に、通常通りＬＥＤ素子５を起動してしまうと発生する可能性のあるＬＥＤ素子５の破損を起こりにくくする、電源起動時のＬＥＤ素子輝度設定シーケンスを有する表示システムを提供できる。
【００３３】
次に、図１２を参照して、本発明の実施形態の基本的構成例について説明する。図１２は、本発明の一実施形態に係る表示システムの基本的構成例を示すブロック図である。図１２に示す表示システム１００は、表示装置１０３と、湿度記憶装置１０１（輝度算出装置）と、から構成される。
【００３４】
表示装置１０３は、映像信号を、輝度設定シーケンスに基づいた輝度制御信号が示す輝度で表示する。
湿度記憶装置１０１は、表示装置１０３が電源オフの状態にある期間において算出した湿度量に応じて、表示装置１０３が電源オンの状態に移行した後における輝度制御信号が示す輝度が時系列に変化する輝度設定シーケンスを算出する。
【００３５】
なお、図１２に示す構成またはその限定的構成と、図３、図６、図７に示す構成との対応関係は次の通りである。図１２に示す表示システム１００は、図３に示す表示システム１００ａ、図６に示す表示システム１００ｂに対応する。また、図１２に示す表示装置１０３は、図３、図６に示す表示装置３に対応する。また、図１２に示す湿度記憶装置１０１は、図６、図７に示す湿度記憶装置１に対応する。
【００３６】
以上、この発明の実施形態について図面を参照して説明してきたが、具体的な構成は上記実施形態に限られるものではなく、この発明の要旨を逸脱しない範囲の設計等も含まれる。
【００３７】
例えば、図１２に示す湿度記憶装置１０１の機能を実現するためのプログラムをコンピュータ読み取り可能な記録媒体に記録して、この記録媒体に記録されたプログラムをコンピュータシステムに読み込ませ、実行することにより、湿度記憶装置１０１の制御システムにおいて、湿度量算出部１４が行う算出工程と、輝度設定シーケンス算出部１５が行う算出工程と、を行ってもよい。なお、ここでいう「コンピュータシステム」とは、ＯＳや周辺機器等のハードウェアを含むものとする。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【符号の説明】
【００３８】
１，１０１…湿度記憶装置（輝度算出装置）、２…ＬＥＤコントローラ、３，１０３…表示装置、４…ＬＥＤモジュール、５…ＬＥＤ素子、１１…湿度センサ、１２…カウントアップタイマ、１３…湿度−時間保存部、１４…湿度量算出部、１５…輝度設定シーケンス算出部、１００，１００ａ，１００ｂ，１００ｃ…表示システム
【図１】
2020020971.tif 000003
【図２】
2020020971.tif 000004
【図３】
2020020971.tif 000005
【図４】
2020020971.tif 000006
【図５】
2020020971.tif 000007
【図６】
2020020971.tif 000008
【図７】
2020020971.tif 000009
【図８】
2020020971.tif 000010
【図９】
2020020971.tif 000011
【図１０】
2020020971.tif 000012
【図１１】
2020020971.tif 000013
【図１２】
2020020971.tif 000014